(57)【要約】      （修正有）【課題】簡易ビュアー等を用いることなく各種物品の片面側のみから透かし模様を観察し易くした透かし入り積層体を提供すること及びそのような積層体で形成される透かし入り容器又は透かし入りカードを提供する。【解決手段】底面２及び側面４と、底面の下面に積層され透かし模様を形成する透孔７が設けてある中間層５と、中間層５の下面に積層される底板層６からなる透かし入り容器１であって、底面、側面及び中間層は透明度の低い樹脂によって作製し、底板層は底面及び中間層より透明度の高い樹脂によって作製してある。そのため、透かし入り容器の内側に懐中電灯等を差し込み底面の上部から光を照射すると、透かし模様を底板層の下面側から観察することができるが、底板層の下部から光を照射しても底面の上面側からは観察し難い。【選択図】図２
2017119394.tif 000002
【特許請求の範囲】
【請求項１】
透かし模様を形成する透孔又は透明部を設けた中間層と、
該中間層の一方の面側に積層した可視光透過度の低い非観察層と、
前記中間層の他方の面側に積層した前記非観察層より可視光透過度の高い観察層を有する
透かし入り積層体。
【請求項２】
前記観察層及び前記非観察層が樹脂製である
ことを特徴とする請求項１に記載の透かし入り積層体。
【請求項３】
前記観察層及び前記非観察層は同じ透明度の樹脂製であり、
前記観察層は前記非観察層より薄い
ことを特徴とする請求項１又は２に記載の透かし入り積層体。
【請求項４】
請求項１〜３のいずれかに記載の透かし入り積層体で一部又は全部が形成されている
ことを特徴とする透かし入り容器。
【請求項５】
請求項１〜３のいずれかに記載の透かし入り積層体で一部又は全部が形成されている
ことを特徴とする透かし入りカード。
【発明の詳細な説明】
【技術分野】
【０００１】
本発明は、偽造防止のための透かし模様を形成した透かし入り積層体及びそのような透かし入り積層体で形成される透かし入り容器や透かし入りカードに関する。
【背景技術】
【０００２】
従来、各種物品の偽造を防止するため、物品の内部に光を反射又は透過する識別体を配置しておき、物品の外部から光を照射し識別体で反射又は識別体を透過した光を確認することにより、物品の真正性を証明することが行われている。
【０００３】
例えば、特許文献１（特許第４９１４６８７号公報）に記載される技術では、偽造防止システム用透明プラスチック容器（１）の内部に特殊光のみ反射する真正性識別体（３）を貼付した物品を内蔵し、特殊光を透過する容器（１）の外部から簡易ビュアー（４）のフィルターを透して真正性識別体（３）が確認できれば真正品であると判定できるようにしている（特に、段落００４３及び図２を参照）。
また、特許文献２（実開昭６４−４０５７２号のマイクロフィルム）には、透かし模様を形成する透孔（２）が穿設されているセンターシート（１）の両面又は片面に中間シート（３）を重ね、更にその両面に外被シート（４）を重ねることで、反射光ではほとんど外観されず、透過光によってはじめて透孔（２）部分の存在を見ることのできる偽造防止カード（Ａ）が記載されており（特に、実施例の項及び第１〜４図を参照）、透かし形成用の透孔（１２）を穿設したセンターシート（１１）の両面に、不透明な外被シート（１４）（１４）を重ねた透かし入りプラスチックカードについても記載されている（特に、従来の技術と問題点の項及び第５図を参照）。
【先行技術文献】
【特許文献】
【０００４】
【特許文献１】特許第４９１４６８７号公報
【特許文献２】実開昭６４−４０５７２号のマイクロフィルム
【発明の概要】
【発明が解決しようとする課題】
【０００５】
しかし、特許文献１に記載されている偽造防止システムは、真正性識別体で反射される特殊光を簡易ビュアーのフィルターを透して確認するものであり、簡易ビュアーを用いなければ真正品か否かの判定を行うことができない。
また、特許文献２に記載されている偽造防止カード又は透かし入りプラスチックカードは、透かし模様が表面側からも裏面側からも同様に観察されるため、カードの裏側を明るい状態とした場合、透かし模様が表面側に表示されている様々な文字やマーク等とともに観察されるため、カードの見栄えを悪くするという問題があった。
本発明の課題は、このような問題を解決し、簡易ビュアー等を用いることなく各種物品の片面側のみから透かし模様を観察し易くした透かし入り積層体を提供すること及びそのような積層体で形成される透かし入り容器又は透かし入りカードを提供することである。
【課題を解決するための手段】
【０００６】
請求項１に係る発明は、透かし模様を形成する透孔又は透明部を設けた中間層と、該中間層の一方の面側に積層した可視光透過度の低い非観察層と、前記中間層の他方の面側に積層した前記非観察層より可視光透過度の高い観察層を有することを特徴とする透かし入り積層体である。
【０００７】
請求項２に係る発明は、請求項１に記載の透かし入り積層体において、前記観察層及び前記非観察層が樹脂製であることを特徴とする。
【０００８】
請求項３に係る発明は、請求項２に記載の透かし入り積層体において、前記観察層及び前記非観察層は同じ透明度の樹脂製であり、前記観察層は前記非観察層より薄いことを特徴とする。
【０００９】
請求項４に係る発明は、請求項１〜３のいずれかに記載の透かし入り積層体で一部又は全部が形成されていることを特徴とする透かし入り容器である。
【００１０】
請求項５に係る発明は、請求項１〜３のいずれかに記載の透かし入り積層体で一部又は全部が形成されていることを特徴とする透かし入りカードである。
【発明の効果】
【００１１】
請求項１に係る発明によれば、中間層の一方の面側に可視光透過度の低い非観察層が積層され、中間層の他方の面側に非観察層より可視光透過度の高い観察層が積層されているので、中間層の一方の面側（非観察層側）から光を照射することによって、中間層の他方の面側（観察層側）から透かし模様を容易に観察できる。
また、中間層の他方の面側（観察層側）から光を照射しても、中間層を通り抜ける光量が小さいので、中間層の一方の面側（可視光透過度の低い非観察層側）からは透かし模様を観察し難い。
すなわち、積層体の片面側のみから透かし模様を観察し易くすることができる。
そして、この透かし入り積層体で各種物品の一部又は全部を形成すれば、各種物品の片面側のみから透かし模様を観察し易くすることができ、各種物品が透明度の高いものである場合、この透かし入り積層体を各種物品の表面に固着させれば、各種物品の片面側のみから透かし模様を観察し易くすることができる。
【００１２】
請求項２に係る発明によれば、請求項１に係る発明による効果に加えて、観察層及び非観察層が樹脂製であるため、金型を用いて成形したり３Ｄプリンタを用いて作製したりでき、透かし入り積層体を容易に製造することができる。
【００１３】
請求項３に係る発明によれば、請求項２に係る発明による効果に加えて、同じ透明度の樹脂を用い厚さの調整のみによって観察層と非観察層を作製できるので、透かし入り積層体をさらに容易に製造することができる。
【００１４】
請求項４に係る発明によれば、請求項１〜３のいずれかに係る発明による効果に加えて、透かし入り容器の他方の面から光を照射した時だけを透かし模様の観察し易い状態とすることができる。
特に、透かし入り容器の内側を非観察層、外側を非観察層とした場合、通常はほとんど行われることのない容器の内側から光を照射した時だけが透かし模様の観察し易い状態となるので、透かし模様が入っていることに気づかれにくいという効果を奏する。
【００１５】
請求項５に係る発明によれば、請求項１〜３のいずれかに係る発明による効果に加えて、透かし入りカードの他方の面から光を照射した時だけを透かし模様の観察し易い状態とすることができる。
特に、透かし入りカードの表面側を非観察層、裏面側を非観察層とした場合、カードの表面側から光を照射した時だけが透かし模様の観察し易い状態となるので、カードの裏面側から光が照射された場合において、表面側に表示されている様々な文字やマーク等と透かし模様が重なって見えることがなくカードの見栄えを悪くすることがない。
【図面の簡単な説明】
【００１６】
【図１】実施例１の透かし入り容器の斜視図。
【図２】実施例１の透かし入り容器の断面図。
【図３】実施例１の透かし入り容器の内部から光を照射した時の様子を示す写真。
【図４】実施例２の透かし入りカードの透かし模様付近の断面図。
【発明を実施するための形態】
【００１７】
以下、実施例によって本発明の実施形態を説明する。
【実施例１】
【００１８】
実施例１の透かし入り容器１の斜視図を図１に、同透かし入り容器１の底面付近の断面図を図２に示す。
また、実施例１の透かし入り容器１の内部に照明器具を挿入し、底部に向かって光を照射し、底面側から観察した様子を示す写真を図３に示す。
実施例１の透かし入り容器１は、図１、２に示すように、正六角形の底面２と、底面２より少し大きい正六角形の上縁３と、底面２の各辺と上縁３の６０度ずれた各辺とをつなぐねじれた６つの面と、底面２の各頂点と上縁３の６０度ずれた各頂点とをつなぐねじれた６つの稜部で形成される側面４と、底面２の中央下面に積層される中間層５と、中間層５の下面に積層される底板層６からなっている。
なお、底面２は底板層６側から光を照射しても透かし模様を観察し難い層となっているので、非観察層とも呼び、底板層６は底面２側から光を照射すると透かし模様を観察し易い層となっているので、観察層とも呼ぶこととする。
【００１９】
底面２と中間層５は透明度の低い樹脂によって作製し、底板層６は底面２及び中間層５より透明度の高い樹脂によって作製してある。
そして、中間層５の中央部には透かし模様（図３のＮとＺを縦に配した模様９）を形成する透孔７が設けてあり、底板層６には円形状の薄肉部８が設けられ透かし模様を観察し易くなっているとともに、薄肉部８の中央部には透かし模様と少し形態の異なる突出部（図３のＮとＺを横に配した模様１０）が設けてある。
実施例１の透かし入り容器１は、上記のような構造となっているので、容器の内側に懐中電灯等を差し込み底面の中央上部から光を照射すると、図３に示すように突出部（ＮとＺを横に配した模様１０）がシルエットとなるとともに、透かし模様（ＮとＺを縦に配した模様９）がそのシルエットと重なるように観察できる。
しかし、逆に容器の外側（底板層６側）から光を照射した場合、中間層５を通り抜ける光量が小さいため、容器の内側（底面２側）からは透かし模様を観察し難い。
【００２０】
実施例１の透かし入り容器１を製造する具体的な手順は次のとおりである。
（１）顔料を添加したアクリル樹脂又はＡＢＳ樹脂を適宜の金型を用いて成形し、底面２、上縁３及び側面４からなる容器本体を作製する。
（２）顔料を添加したアクリル樹脂又はＡＢＳ樹脂を適宜の金型を用いて成形し、中間層５を作製する。
（３）少量の顔料を添加したアクリル樹脂又はＡＢＳ樹脂を適宜の金型を用いて成形し、底板層６を作製する。
（４）容器本体の底面２の下面に中間層５及び底板層６を積層し接着する。
【実施例２】
【００２１】
実施例２の透かし入りカード１１の透かし模様付近の断面図を図４に示す。
実施例２の透かし入りカード１１は、横８．６ｃｍ、縦５．４ｃｍ、厚さ１ｍｍ程度の一般に広く普及しているカードと同じ大きさであり、図４に示す断面図のとおり、表面層１２、中間層１３及び裏面層１４を積層したものとなっている。
なお、表面層１２は裏面層１４側から光を照射しても透かし模様を観察し難い層となっているので、非観察層とも呼び、裏面層１４は表面層１２側から光を照射すると透かし模様を観察し易い層となっているので、観察層とも呼ぶこととする。
【００２２】
表面層１２と中間層１３は透明度の低い樹脂によって作製し、裏面層１４は表面層１２及び中間層１３より薄く透明度の高い樹脂によって作製してある。
そして、表面層１２の適宜の箇所にはカードの種類、発行者、ＩＤナンバー、所有者名、有効期限等を示す表示、中間層１３の適宜の箇所には透かし模様を形成する透孔１５、裏面層１４の適宜の箇所には署名欄や問い合わせ先、注意書き、認証番号等を示す表示が設けてある。
実施例２の透かし入りカード１１は、上記のような構造となっているので、カードの表面側から光を照射すると、透かし模様をカードの裏面側から観察できる。
しかし、逆にカードの裏面側から光を照射した場合、中間層１３を通り抜ける光量が小さいため、カードの表面側からは透かし模様を観察し難い。
【００２３】
実施例２の透かし入りカード１１を製造する具体的な手順は次のとおりである。
（１）顔料を添加した適宜の樹脂（ポリ塩化ビニル樹脂、ポリエチレンテレフタレート樹脂、ポリアクリル樹脂、ポリエステル樹脂、ポリウレタン樹脂、ＡＢＳ樹脂又はポリカーボネート樹脂）からなるシートにパンチング等により透孔１５を設けて透かし模様を形成し、センターシート（中間層１３）を作製する。
（２）顔料を添加した適宜の樹脂からなるシート（表面層１２となる表面側外被シート）をセンターシートの表面側に重ね、少量の顔料を添加した適宜の樹脂からなる薄いシート（裏面層１４となる裏面側外被シート）をセンターシートの裏面側に重ねる。
（３）３つのシートを熱圧着して一体化する。
（４）一体化したシートを適宜の形状に打ち抜きカード状とする。
（５）各カードの表面及び裏面に適宜の印字手段を用いて各種の表示を印刷し、必要ならばエンボス加工によりＩＤナンバー等の表示を施す。
【００２４】
実施例１及び２の変形例を列記する。
（１）実施例１においては、容器本体、中間層５及び底板層６を別々に作製した後、それらを積層して接着したが、容器本体と中間層５は一緒に成形しても良い。
また、容器本体の形状は図１のようなものに限らず、カップ状、皿状、壺状等、どのような形状であっても良い。
（２）実施例１においては、容器本体、中間層５及び底板層６を別々に作製した後、それらを積層し接着したが、３Ｄプリンタを用いて底板層６、中間層５、容器本体の順に、各層に適した樹脂を積み上げながら作製しても良い。
【００２５】
（３）実施例１においては、薄肉部８の中央部に透かし模様と少し形態の異なる突出部を設けてあるが、この突出部は設けなくても良い。
（４）実施例１においては、薄肉部８の中央部に透かし模様と少し形態の異なる突出部を設けてあるが、同じ形態の突出部を透かし模様の位置とは異なる位置に設けても良い。
【００２６】
（５）実施例１においては、底面２の中央下面に中間層５を積層し、中間層５の下面に底板層６を積層しているが、側面４の外面に中間層５を積層し、中間層５の外面に側面４より透明度の高い樹脂よりなる側板層を積層しても良い。
要するに、透かし入り容器の一部又は全体が透かし入り積層体で形成されていれば良い。
（６）実施例２においては、透かし入りカード１１の全体が表面層１２（非観察層）、中間層１３及び裏面層１４（観察層）を積層したものとなっているが、透かし入りカード１１の一部だけが表面層１２（非観察層）、中間層１３及び裏面層１４（観察層）を積層したものとなっていても良い。
【００２７】
（７）実施例１においては、底面２と中間層５を透明度の低い樹脂によって作製し、実施例２においては、表面層１２と中間層１３は透明度の低い樹脂によって作製したが、底面２及び表面層１２（非観察層）は、透明度の低い樹脂に代えて多数の穴（光透過部）を有する不透明な材質（樹脂、セラミック又は金属等）の層としても良く、中間層５及び中間層１３は、透明度の低い樹脂に代えて不透明な材質からなる層としても良い。
（８）実施例１においては、底板層６を底面２及び中間層５より透明度の高い樹脂によって作製し、実施例２においては、裏面層１４を表面層１２及び中間層１３より透明度の高い樹脂によって作製したが、表面層１２及び中間層１３より透明度の高い樹脂に代えて上記（５）の多数の穴を有する不透明な材質の層より多くの穴（光透過部）を有する不透明な材質の層としても良い。
また、底板層６及び裏面層１４を、それぞれ底面２及び表面層１２と同じ透明度の樹脂によって作製するとともに、底板層６及び裏面層１４を、それぞれ底面２及び表面層１２より薄くしても良い。
要するに、底板層６及び裏面層１４（観察層）は、底面２及び表面層１２（非観察層）より可視光透過度の高い層であれば良い。
【００２８】
（９）実施例１においては、底板層６に円形状の薄肉部８を設け、実施例２においては、裏面層１４を表面層１２及び中間層１３より薄くしたが、薄肉部８は設けなくても良く、裏面層１４は表面層１２及び中間層１３と同じ厚さでも良い。
（１０）実施例１においては、中間層５に透かし模様（図３のＮとＺを縦に配した模様９）を形成する透孔７を設け、実施例２においては、中間層１３に透かし模様を形成する透孔１５を設けたが、それぞれ透孔７、１５に代えて透明な樹脂やガラス等からなる透明部を設けても良い。
【符号の説明】
【００２９】
１  透かし入り容器      ２  底面（非観察層）      ３  上縁      ４  側面
５  中間層      ６  底板層（観察層）      ７  透孔      ８  薄肉部
９  ＮとＺを縦に配した模様      １０  ＮとＺを横に配した模様
１１  透かし入りカード      １２  表面層（非観察層）      １３  中間層    
１４  裏面層（観察層）      １５  透孔
【図１】
2017119394.tif 000003
【図２】
2017119394.tif 000004
【図３】
2017119394.tif 000005
【図４】
2017119394.tif 000006